(57)【要約】【課題】ユーザが３Ｄ映像として認識することが出来ない場合に、原因を切り分けて、システムの状態を可視化し、および原因が機器の設定だった場合に適切な設定に簡単に切り替えることが可能な映像表示方法及びコンピュータプログラムを提供する。【解決手段】右目用画像と左目用画像を抽出する画像抽出部と、前記画像抽出部が抽出した右目用画像に対して所定のパターンを重畳する右目用画像パターン重畳部と、前記画像抽出部が抽出した左目用画像に対して所定のパターンを重畳する左目用画像パターン重畳部と、を備え、前記右目用画像パターン重畳部及び前記左目用画像パターン重畳部は任意のタイミングで右目用画像及び左目用画像に対して所定のパターンを重畳する、画像表示装置が提供される。【選択図】図１
2012070163.tif 000002
【特許請求の範囲】
【請求項１】
映像信号から右目用画像と左目用画像を抽出する画像抽出部と、
前記画像抽出部が抽出した右目用画像に対して所定のパターンを重畳する右目用画像パターン重畳部と、
前記画像抽出部が抽出した左目用画像に対して所定のパターンを重畳する左目用画像パターン重畳部と、
を備え、
前記右目用画像パターン重畳部及び前記左目用画像パターン重畳部は任意のタイミングで右目用画像及び左目用画像に対して所定のパターンを重畳する、画像表示装置。
【請求項２】
前記右目用画像パターン重畳部及び前記左目用画像パターン重畳部は、それぞれ異なる色で右目用画像及び左目用画像を上書きする、請求項１に記載の画像表示装置。
【請求項３】
前記右目用画像パターン重畳部及び前記左目用画像パターン重畳部は、それぞれ異なる画像パターンで右目用画像及び左目用画像に対する上書き描画を実行する、請求項１に記載の画像表示装置。
【請求項４】
前記右目用画像パターン重畳部及び前記左目用画像パターン重畳部は、それぞれのパターンを合成すると完成する図形の上書き描画を実行する、請求項３に記載の画像表示装置。
【請求項５】
映像信号から右目用画像と左目用画像を抽出する画像抽出ステップと、
前記画像抽出ステップが抽出した右目用画像に対して所定のパターンを重畳する右目用画像パターン重畳ステップと、
前記画像抽出部が抽出した左目用画像に対して所定のパターンを重畳する左目用画像パターン重畳ステップと、
を備え、
前記右目用画像パターン重畳ステップ及び前記左目用画像パターン重畳ステップは任意のタイミングで右目用画像及び左目用画像に対して所定のパターンを重畳する、画像表示方法。
【請求項６】
コンピュータに、
映像信号から右目用画像と左目用画像を抽出する画像抽出ステップと、
前記画像抽出ステップが抽出した右目用画像に対して所定のパターンを重畳する右目用画像パターン重畳ステップと、
前記画像抽出部が抽出した左目用画像に対して所定のパターンを重畳する左目用画像パターン重畳ステップと、
を実行させ、
前記右目用画像パターン重畳ステップ及び前記左目用画像パターン重畳ステップは任意のタイミングで右目用画像及び左目用画像に対して所定のパターンを重畳する、コンピュータプログラム。
【請求項７】
伝送されてくる画像及び表示する画像が二次元画像と三次元画像のいずれであるかを管理する状態管理部と、
前記状態管理部から、伝送されてくる画像及び表示する映像の状態についての情報を取得して供給されてくる画像及び表示する画像の状態の表示を制御するグラフィックス構成部と、
を備える、画像表示装置。
【請求項８】
前記状態管理部は、表示する画像が三次元画像であり、二次元画像として伝送されてきている場合には、伝送元に対して三次元画像として伝送することを指示する、請求項７に記載の画像表示装置。
【請求項９】
前記状態管理部は、表示する画像が二次元画像であり、三次元画像として伝送されてきている場合には、伝送元に対して二次元画像として伝送することを指示する、請求項７に記載の画像表示装置。
【請求項１０】
伝送されてくる画像及び表示する画像が二次元画像と三次元画像のいずれであるかを管理する状態管理ステップと、
前記状態管理ステップが管理する伝送されてくる画像及び表示する映像の状態についての情報を取得して供給されてくる画像及び表示する画像の状態の表示を制御するグラフィックス構成ステップと、
を備える、画像表示方法。
【請求項１１】
コンピュータに、
伝送されてくる画像及び表示する画像が二次元画像と三次元画像のいずれであるかを管理する状態管理ステップと、
前記状態管理ステップが管理する伝送されてくる画像及び表示する映像の状態についての情報を取得して供給されてくる画像及び表示する画像の状態の表示を制御するグラフィックス構成ステップと、
を実行させる、コンピュータプログラム。
【発明の詳細な説明】
【技術分野】
【０００１】
本発明は、映像表示装置、映像表示方法及びコンピュータプログラムに関する。
【背景技術】
【０００２】
ユーザに対して立体的な映像として知覚させることができるテレビ受像機その他の映像表示装置の普及が拡大している。立体映像の原理は、右目と左目との間の視差を利用して、右目用の映像と左目用の映像を、専用メガネや専用ディスプレイを用いて閲覧することで、映像が飛び出して見えるようになるというものである。
【０００３】
このような映像表示装置への入力としては、入力自体が右目用映像及び左目用映像を含む３Ｄ映像であり、映像表示装置側で右目用映像と左目用映像とを抽出して表示する場合もあれば、入力は従来の映像（２Ｄ映像）であるが、映像表示装置側で３Ｄ映像となるように、所定の視差を付けて右目用映像及び左目用映像として表示する場合もある。また、像表示装置への入力は３Ｄ映像であるが、映像表示装置側で２Ｄ映像に変換して表示する場合もある。
【発明の概要】
【発明が解決しようとする課題】
【０００４】
このように、ユーザに対して立体的な映像として知覚させることができる映像表示装置への入力と出力とが異なる場合がある。ところで、ユーザの意図に反して、表示される映像が３Ｄ映像にならなかった場合を考える。これには多くの理由が考えられ、例えば、専用メガネを用いて３Ｄ映像を見る場合に、その専用メガネが壊れれば当然立体的な映像として見ることができない。また、専用ディスプレイを用いて３Ｄ映像を見る場合についても同様である。
【０００５】
さらに、このような装置自体の故障の他にも、映像表示装置に入力される入力信号の問題も考えられる。例えば、入力信号の構造は３Ｄ映像を表示させるためのものであるが、右目用の映像と左目用の映像とに視差がなければ、人間の目には映像が飛び出して見えない。また、デジタルビデオレコーダ（ＤＶＲ）、セットトップボックス（ＳＴＢ）等、映像表示装置に別の装置が接続されている状態では、ユーザの意図に反して、何らかの理由で途中の機器の設定が２Ｄ映像を表示するものになっていて、設定ミスによって３Ｄ映像に見えていないだけかもしれない。
【０００６】
さらに、装置は故障しておらず、映像表示装置に入力される信号も３Ｄ映像であり、映像表示装置は２Ｄ映像への変換を行っていないにも関わらず、ユーザ自身の視力の問題で３Ｄ映像として認識することができないという場合も考えられる。
【０００７】
上述したものは全て、ユーザにとって３Ｄ映像として認識することが出来ないというケースである。しかし、従来においては、ユーザが３Ｄ映像として認識することが出来ない場合に、原因がどこにあるのかを簡単に見分ける方法がないという問題があった。
【０００８】
そこで、本発明は、上記問題に鑑みてなされたものであり、本発明の目的とするところは、ユーザが３Ｄ映像として認識することが出来ない場合に、原因を切り分けて、システムの状態を可視化し、および原因が機器の設定だった場合に適切な設定に簡単に切り替えることが可能な、新規かつ改良された映像表示装置、映像表示方法及びコンピュータプログラムを提供することにある。
【課題を解決するための手段】
【０００９】
上記課題を解決するために、本発明のある観点によれば、映像信号から右目用画像と左目用画像を抽出する画像抽出部と、前記画像抽出部が抽出した右目用画像に対して所定のパターンを重畳する右目用画像パターン重畳部と、前記画像抽出部が抽出した左目用画像に対して所定のパターンを重畳する左目用画像パターン重畳部と、を備え、前記右目用画像パターン重畳部及び前記左目用画像パターン重畳部は任意のタイミングで右目用画像及び左目用画像に対して所定のパターンを重畳する、画像表示装置が提供される。
【００１０】
前記右目用画像パターン重畳部及び前記左目用画像パターン重畳部は、それぞれ異なる色で右目用画像及び左目用画像を上書きしてもよい。
【００１１】
前記右目用画像パターン重畳部及び前記左目用画像パターン重畳部は、それぞれ異なる画像パターンで右目用画像及び左目用画像の上書き描画を実行してもよい。
【００１２】
前記右目用画像パターン重畳部及び前記左目用画像パターン重畳部は、それぞれのパターンを合成すると完成する図形の上書き描画を実行してもよい。
【００１３】
また、上記課題を解決するために、本発明の別の観点によれば、映像信号から右目用画像と左目用画像を抽出する画像抽出ステップと、前記画像抽出ステップが抽出した右目用画像に対して所定のパターンを重畳する右目用画像パターン重畳ステップと、前記画像抽出部が抽出した左目用画像に対して所定のパターンを重畳する左目用画像パターン重畳ステップと、を備え、前記右目用画像パターン重畳ステップ及び前記左目用画像パターン重畳ステップは任意のタイミングで右目用画像及び左目用画像に対して所定のパターンを重畳する、画像表示方法が提供される。
【００１４】
また、上記課題を解決するために、本発明の別の観点によれば、コンピュータに、映像信号から右目用画像と左目用画像を抽出する画像抽出ステップと、前記画像抽出ステップが抽出した右目用画像に対して所定のパターンを重畳する右目用画像パターン重畳ステップと、前記画像抽出部が抽出した左目用画像に対して所定のパターンを重畳する左目用画像パターン重畳ステップと、を実行させ、前記右目用画像パターン重畳ステップ及び前記左目用画像パターン重畳ステップは任意のタイミングで右目用画像及び左目用画像に対して所定のパターンを重畳する、コンピュータプログラムが提供される。
【００１５】
また、上記課題を解決するために、本発明の別の観点によれば、伝送されてくる画像及び表示する画像が二次元画像と三次元画像のいずれであるかを管理する状態管理部と、前記状態管理部から、伝送されてくる画像及び表示する映像の状態についての情報を取得して供給されてくる画像及び表示する画像の状態の表示を制御するグラフィックス構成部と、を備える、画像表示装置が提供される。
【００１６】
前記状態管理部は、表示する画像が三次元画像であり、二次元画像として伝送されてきている場合には、伝送元に対して三次元画像として伝送することを指示してもよい。
【００１７】
前記状態管理部は、表示する画像が二次元画像であり、三次元画像として伝送されてきている場合には、伝送元に対して二次元画像として伝送することを指示してもよい。
【００１８】
また、上記課題を解決するために、本発明の別の観点によれば、伝送されてくる画像及び表示する画像が二次元画像と三次元画像のいずれであるかを管理する状態管理ステップと、前記状態管理ステップが管理する伝送されてくる画像及び表示する映像の状態についての情報を取得して供給されてくる画像及び表示する画像の状態の表示を制御するグラフィックス構成ステップと、を備える、画像表示方法が提供される。
【００１９】
また、上記課題を解決するために、本発明の別の観点によれば、コンピュータに、伝送されてくる画像及び表示する画像が二次元画像と三次元画像のいずれであるかを管理する状態管理ステップと、前記状態管理ステップが管理する伝送されてくる画像及び表示する映像の状態についての情報を取得して供給されてくる画像及び表示する画像の状態の表示を制御するグラフィックス構成ステップと、を実行させる、コンピュータプログラムが提供される。
【発明の効果】
【００２０】
以上説明したように本発明によれば、ユーザが３Ｄ映像として認識することが出来ない場合に、原因を切り分けて、システムの状態を可視化し、および原因が機器の設定だった場合に適切な設定に簡単に切り替えることが可能な、新規かつ改良された映像表示装置、映像表示方法及びコンピュータプログラムを提供することができる。
【図面の簡単な説明】
【００２１】
【図１】本発明の一実施形態にかかる映像表示装置１００の概要を示す説明図である。
【図２】３Ｄ映像の原理を示す説明図である。
【図３】本発明の一実施形態にかかる映像表示装置１００の機能構成を示す説明図である。
【図４】本発明の一実施形態にかかる映像表示装置１００に含まれる映像処理部１６０の構成を示す説明図である。
【図５】本発明の一実施形態にかかる映像表示装置１００の動作を示す流れ図である。
【図６】本発明の一実施形態にかかる映像表示装置１００の、表示部１７０に表示される画面の一例を示す説明図である。
【図７】左目用映像及び右目用映像に、それぞれ所定のパターンを重畳した状態の一例を示す説明図である。
【図８】左目用映像及び右目用映像に、それぞれ所定のパターンを重畳した状態の一例を示す説明図である。
【図９】左目用映像及び右目用映像に、それぞれ所定のパターンを重畳した状態の一例を示す説明図である。
【図１０】本発明の一実施形態にかかる映像表示装置１００の動作を示す流れ図である。
【図１１】本発明の一実施形態にかかる映像表示装置１００の表示部１７０に表示される画面の一例を示す説明図である。
【図１２】本発明の一実施形態にかかる映像表示装置１００の表示部１７０に表示される画面の一例を示す説明図である。
【図１３】本発明の一実施形態にかかる映像表示装置１００の表示部１７０に表示される画面の一例を示す説明図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
なお、説明は以下の順序で行うものとする。
＜１．本発明の一実施形態＞
［１−１．映像表示装置の外観例］
［１−２．３Ｄ映像の原理］
［１−３．映像表示装置の構成］
［１−４．映像表示装置の動作］
＜２．まとめ＞
【００２４】
＜１．本発明の一実施形態＞
［１−１．映像表示装置の概要］
以下において、本発明の一実施形態にかかる表示装置の構成について説明する。まず、本発明の一実施形態にかかる表示装置の概要について説明する。図１は、本発明の一実施形態にかかる映像表示装置１００の概要を示す説明図である。また、図１には、映像表示装置１００が表示する画像を観察者が立体的な画像として知覚するために用いるシャッタメガネ３００も併せて示している。
【００２５】
図１に示した映像表示装置１００は、画像の表示が行われる表示部１７０を備えている。映像表示装置１００は、通常の画像を表示部１７０に表示するだけではなく、観察者に立体的な画像として知覚させる三次元画像を表示部１７０に表示することが可能な装置である。
【００２６】
表示部１７０について簡単に説明すると、表示部１７０は、光源、液晶パネル、及び液晶パネルを挟んで設けられる一対の偏光板を含んで構成される。光源からの光は液晶パネル及び偏光板を透過することで所定の方向に偏光された光となる。なお、本発明の適用範囲は液晶パネルに限定されるものでは無く、その他の表示装置、例えばプラズマディスプレイパネルを用いた表示装置、有機ＥＬ表示装置、プロジェクタ等に適用してもよい。
【００２７】
シャッタメガネ３００は、例えば液晶シャッタからなる右目用画像透過部３１２及び左目用画像透過部３１４を含んで構成されている。シャッタメガネ３００は、映像表示装置１００から送出される信号に応じて、右目用画像透過部３１２及び左目用画像透過部３１４の開閉動作を実行する。観察者は、シャッタメガネ３００の右目用画像透過部３１２及び左目用画像透過部３１４を通して、表示部１７０から発する光を見ることで、表示部１７０に表示される画像を立体的な画像として知覚することが出来る。
【００２８】
一方、通常の画像が表示部１７０に表示されている場合は、観察者はそのまま表示部１７０から出射される光を見ることで、通常の画像として知覚することができる。
【００２９】
なお、図１では、映像表示装置１００をテレビ受像機として図示していたが、本発明においては、表示装置の形状はかかる例に限定されないことは言うまでも無い。例えば、本発明の表示装置は、例えば、パーソナルコンピュータその他の電子機器と接続して用いられるモニタであってもよく、携帯型のゲーム機であってもよく、携帯電話や携帯型の音楽再生装置であってもよい。
【００３０】
以上、本発明の一実施形態にかかる映像表示装置１００の外観について説明した。次に、３Ｄ映像の原理について説明する。
【００３１】
［１−２．３Ｄ映像の原理］
人間は、両眼視差、運動視差、輻輳、焦点調整、過去の経験や知識等に基づいて、物体の立体視を行っている。例えば、右眼と左眼でとらえた２次元網膜映像の違い（両眼視差）から、複数の奥行き手掛かりを抽出・統合することにより３次元情報を知覚し、物体を３次元的な立体映像として認識することができる。また、眼球の回転運動は、両眼の視線の交差角である輻輳角を変化させ、人間はこれをもとに物体までの距離を判断し３次元空間を認識している。
【００３２】
この人間が行う物体の立体視の内、主に両眼視差を利用した仕組みとして、図２のように左右眼用に視差をつけた二つの二次元画像を用意し、それぞれを右眼、左眼に別々に映すと、人間は物を立体的に認識することができる。ここで、視差とは左右眼用画像のずれ量である。この原理を利用して画像を立体的に見せることを両眼立体視と言い、左右眼用画像を一枚ずつ使って表示したものを立体画像（３Ｄ画像）、左右目用画像を複数枚ずつ用意し、それらを連続的に変化させたものを立体映像（３Ｄ映像）と呼ぶ。
【００３３】
［１−３．映像表示装置の構成］
次に、本発明の一実施形態にかかる映像表示装置１００の機能構成について説明する。図３は、本発明の一実施形態にかかる映像表示装置１００の機能構成を示す説明図である。また、図３には、映像表示装置１００に映像データを供給するデジタルビデオレコーダ２００の機能構成も併せて示している。以下、図３を用いて、本発明の一実施形態にかかる映像表示装置１００、及び映像表示装置１００に映像を供給するデジタルビデオレコーダ２００の機能構成について説明する。
【００３４】
図３に示したように、本発明の一実施形態にかかる映像表示装置１００は、ユーザ入力処理部１１０と、グラフィックス構成部１２０と、状態通信部１３０と、２Ｄ／３Ｄ状態管理部１４０と、映像入力部１５０と、映像処理部１６０と、表示部１７０と、を含んで構成される。
【００３５】
また、図３に示したように、本発明の一実施形態にかかる映像表示装置１００、及び映像表示装置１００に映像を供給するデジタルビデオレコーダ２００は、映像入力部２１０と、２Ｄ／３Ｄ状態管理部２２０と、状態通信部２３０と、映像処理部２４０と、映像出力部２５０と、を含んで構成される。
【００３６】
まず、映像表示装置１００の各部の構成について説明する。ユーザ入力処理部１１０は、映像表示装置１００のユーザによる、映像表示装置１００に対する入力操作を受け付け、当該入力操作に応じた処理を実行するものである。映像表示装置１００のユーザによる映像表示装置１００に対する入力操作は、例えば映像表示装置１００を遠隔操作するリモートコントローラ（図示せず）によって行われてもよく、映像表示装置１００に設けられた操作ボタン（図示せず）を直接操作することによって行われてもよい。ユーザ入力処理部１１０は、映像表示装置１００のユーザによる映像表示装置１００に対する入力操作を検出すると、入力操作に応じた信号を生成して、グラフィックス構成部１２０や映像処理部１６０へその入力操作に応じて生成した信号を送出する。
【００３７】
ユーザ入力処理部１１０が生成する信号としては、例えば、表示部１７０に所定のＧＵＵ画面を表示させるための信号や、表示部１７０に表示する映像を２Ｄ映像から３Ｄ映像に、また３Ｄ映像から２Ｄ映像に切り替える信号がある。もちろん、ユーザ入力処理部１１０が生成する信号はかかる例に限られないことは言うまでもない。
【００３８】
グラフィックス構成部１２０は、表示部１７０に表示する画面を構成するものである。グラフィックス構成部１２０が構成する画面は、映像入力部１５０が入力した映像に重畳して表示部１７０に表示されるか、または映像入力部１５０が入力した映像に置き換えて表示部１７０に表示される。
【００３９】
そして本実施形態では、グラフィックス構成部１２０は、ユーザ入力処理部１１０の所定の入力処理に応じて、後述の２Ｄ／３Ｄ状態管理部１４０から、映像表示装置１００に入力される映像のステータス、及び表示部１７０に表示する映像のステータスを収集し、収集した映像のステータスの情報を構成して表示部１７０へ出力する。グラフィックス構成部１２０が生成して、表示部１７０に表示される画面の例については、後に詳述する。
【００４０】
映像表示装置１００に入力される映像のステータスや、表示部１７０に表示する映像のステータスとは、例えば、入力される映像が２Ｄ映像なのか３Ｄ映像なのか、また、表示する映像が２Ｄ映像なのか３Ｄ映像なのか、を示す情報である。グラフィックス構成部１２０は、２Ｄ／３Ｄ状態管理部１４０から、映像表示装置１００に入力される映像のステータス、及び表示部１７０に表示する映像のステータスを収集することで、映像表示装置１００のユーザに対して、映像表示装置１００が現在どのような映像を入力し、どのような映像を出力しているのを把握させることができる。
【００４１】
状態通信部１３０は、映像表示装置１００と、映像表示装置１００に接続されているデジタルビデオレコーダ２００との間で、映像のステータスその他映像に関する情報を通信するためのものである。映像表示装置１００の状態通信部１３０は、デジタルビデオレコーダ２００側の状態通信部２３０との間で通信を実行し、映像のステータスその他映像に関する情報の授受を実行する。
【００４２】
なお、映像表示装置１００と、デジタルビデオレコーダ２００との接続は、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルのように、双方向の通信が可能なもので接続されていることが望ましい。
【００４３】
２Ｄ／３Ｄ状態管理部１４０は、映像表示装置１００に入力される映像のステータス、及び表示部１７０に表示する映像のステータスを取得するものである。２Ｄ／３Ｄ状態管理部１４０は、映像表示装置１００に入力される映像のステータスとして、２Ｄ映像であるか、３Ｄ映像であるかを取得する。なお、デジタルビデオレコーダ２００からは２Ｄ映像または３Ｄ映像のいずれかが映像表示装置１００に伝送されてくるが、その映像も、デジタルビデオレコーダ２００で２Ｄ映像から３Ｄ映像に、また３Ｄ映像から２Ｄ映像に変換されている場合も考えられる。従って、２Ｄ／３Ｄ状態管理部１４０は、映像表示装置１００に入力される映像のステータスとして、元の映像が２Ｄ映像であるか３Ｄ映像であるか、実際にデジタルビデオレコーダ２００から伝送される映像が２Ｄ映像であるか３Ｄ映像であるかの情報を取得する。
【００４４】
映像入力部１５０は、映像表示装置１００と接続されているデジタルビデオレコーダ２００から伝送されてくる映像を入力するものである。映像入力部１５０は、デジタルビデオレコーダ２００から伝送される映像を映像処理部１６０に送る。
【００４５】
映像処理部１６０は、映像表示装置１００と接続されているデジタルビデオレコーダ２００から伝送され、映像入力部１５０から供給されてくる映像に対する所定の映像処理を実行するものである。映像処理部１６０は、映像処理を施した後の映像を表示部１７０に供給する。映像処理部１６０は、デジタルビデオレコーダ２００から伝送されてくる映像に対する映像処理として、例えば映像のデコード処理、映像が３Ｄ映像であった場合の右目用映像及び左目用映像の抽出、伝送される映像が３Ｄ映像であるが２Ｄ映像としてユーザが表示したい場合の３Ｄ映像から２Ｄ映像への変換処理、伝送される映像が２Ｄ映像であるが３Ｄ映像としてユーザが表示したい場合の２Ｄ映像から３Ｄ映像への変換処理などであってもよい。
【００４６】
表示部１７０は、映像処理部１６０で映像処理が施された映像や、グラフィックス構成部１２０で生成された情報を表示するものである。表示部１７０が映像を表示することで映像表示装置１００のユーザは映像を閲覧することができ、表示部１７０が表示する映像が３Ｄ映像である場合には、映像表示装置１００のユーザは立体的に見える映像を閲覧することが出来る。また、表示部１７０が、グラフィックス構成部１２０が生成した情報を表示することで、映像表示装置１００のユーザは、現在表示されている映像が２Ｄ映像なのか３Ｄ映像なのか、また、デジタルビデオレコーダ２００からどのような映像として供給されてきているのか、について把握することができる。
【００４７】
以上、映像表示装置１００の各部について説明した。次に、映像表示装置１００へ映像データを供給するデジタルビデオレコーダ２００の各部について説明する。
【００４８】
映像入力部２１０は、映像表示装置１００へ供給する映像のソースが保存されているものである。映像入力部２１０としては、例えばハードディスクのような形態であってもよく、大容量の光ディスクのような形態であってもよい。また映像入力部２１０は、ハードディスクや光ディスクのような記録媒体に限らず、放送局やコンテンツ配信事業者等から放送される番組を受信して、後述の映像処理部２４０に供給するような形態であってもよい。
【００４９】
２Ｄ／３Ｄ状態管理部２２０は、デジタルビデオレコーダ２００から映像表示装置１００に供給する映像のステータスを取得するものである。２Ｄ／３Ｄ状態管理部２２０は、デジタルビデオレコーダ２００から映像表示装置１００に供給する映像のステータスとして、２Ｄ映像であるか、３Ｄ映像であるかを取得する。
【００５０】
映像入力部２１０から出力する映像は、２Ｄ映像か３Ｄ映像のいずれかである。従って、２Ｄ／３Ｄ状態管理部２２０は、映像入力部２１０から出力される映像が２Ｄ映像か３Ｄ映像であるかのステータスを取得する。また、後述の映像処理部２４０は、映像入力部２１０から出力される２Ｄ映像を３Ｄ映像に、また映像入力部２１０から出力される３Ｄ映像を２Ｄ映像に変換する機能を有する。従って、２Ｄ／３Ｄ状態管理部２２０は、映像処理部２４０によって変換されて実際に映像表示装置１００に出力される映像が２Ｄ映像か３Ｄ映像であるかのステータスを取得する。
【００５１】
状態通信部２３０は、デジタルビデオレコーダ２００と、デジタルビデオレコーダ２００に接続されている映像表示装置１００との間で、映像のステータスその他映像に関する情報を通信するためのものである。デジタルビデオレコーダ２００側の状態通信部２３０は、映像表示装置１００の状態通信部１３０との間で通信を実行し、映像のステータスその他映像に関する情報の授受を実行する。
【００５２】
映像処理部２４０は、映像入力部２１０から供給される映像に対して所定の映像処理を実行するものである。映像処理部２４０は、映像処理を施した後の映像データを映像出力部２５０に供給する。映像処理部２４０は、映像入力部２１０から供給されてくる映像に対する映像処理として、例えば映像のデコード処理、映像が３Ｄ映像であった場合の右目用映像及び左目用映像の抽出、伝送される映像が３Ｄ映像であるが２Ｄ映像としてユーザが表示したい場合の３Ｄ映像から２Ｄ映像への変換処理、伝送される映像が２Ｄ映像であるが３Ｄ映像としてユーザが表示したい場合の２Ｄ映像から３Ｄ映像への変換処理などであってもよい。
【００５３】
映像出力部２５０は、映像入力部２１０から供給され、映像処理部２４０で所定の映像処理が施された映像を、デジタルビデオレコーダ２００に接続されている映像表示装置１００へ出力するものである。映像出力部２５０から出力される映像は、映像表示装置１００の映像入力部１５０に送られ、映像表示装置１００で所定の映像処理が施された後に表示される。
【００５４】
以上、デジタルビデオレコーダ２００の構成について説明した。次に、本発明の一実施形態にかかる映像表示装置１００に含まれる映像処理部１６０の構成について説明する。
【００５５】
図４は、本発明の一実施形態にかかる映像表示装置１００に含まれる映像処理部１６０の構成を示す説明図である。また、図４には、映像処理部１６０と併せて、映像処理部１６０と接続されるユーザ入力処理部１１０、映像入力部１５０及び表示部１７０についても図示している。以下、図４を用いて映像処理部１６０の構成について説明する。
【００５６】
図４に示したように、映像処理部１６０は、Ｌ／Ｒ画像抽出部１６１と、Ｌ画像処理部１６２と、Ｒ画像処理部１６３と、Ｌ画パターン重畳部１６４と、Ｒ画パターン重畳部１６５と、を含んで構成される。
【００５７】
Ｌ／Ｒ画像抽出部１６１は、映像入力部１５０から供給される映像が３Ｄ映像である場合に、映像入力部１５０から供給される映像から右目用映像と左目用映像とを抽出するものである。Ｌ／Ｒ画像抽出部１６１は、抽出した左目用映像をＬ画像処理部１６２に、右目用映像をＲ画像処理部１６３にそれぞれ供給する。
【００５８】
Ｌ画像処理部１６２は、Ｌ／Ｒ画像抽出部１６１によって抽出された左目用映像に対する所定の映像処理を実行するものである。Ｌ画像処理部１６２が実行する所定の映像処理としては例えば画像のスケーリング処理、高画質化処理その他の映像処理である。Ｌ画像処理部１６２は、Ｌ／Ｒ画像抽出部１６１によって抽出された左目用映像に対する所定の映像処理を実行すると、その映像データをＬ画パターン重畳部１６４に出力する。
【００５９】
Ｒ画像処理部１６３は、Ｌ／Ｒ画像抽出部１６１によって抽出された右目用映像に対する所定の映像処理を実行するものである。Ｒ画像処理部１６３が実行する所定の映像処理としては例えば画像のスケーリング処理、高画質化処理その他の映像処理である。Ｒ画像処理部１６３は、Ｌ／Ｒ画像抽出部１６１によって抽出された右目用映像に対する所定の映像処理を実行すると、その映像データをＲ画パターン重畳部１６５に出力する。
【００６０】
Ｌ画パターン重畳部１６４は、Ｌ画像処理部１６２によって所定の映像処理が施された映像データに対して、所定のパターンを重畳するものである。Ｌ画パターン重畳部１６４は、通常時は何も処理を行わない。一方、ユーザ入力処理部１１０によって、ユーザが映像に対する上書き処理を行うモード（以下「上書きモード」とも称する）を指定したことが検出されると、ユーザ入力処理部１１０は当該検出に応じてＬ画パターン重畳部１６４へ、Ｌ画像処理部１６２によって所定の映像処理が施された映像データに対して所定のパターンを重畳するよう指示する。Ｌ画パターン重畳部１６４は、ユーザ入力処理部１１０からの指示に基づいて、Ｌ画像処理部１６２によって所定の映像処理が施された映像データに対して所定のパターンを重畳し、出力する。
【００６１】
Ｌ画パターン重畳部１６４が実行するパターンの重畳処理としては、別途用意した文字やグラフィックスを重畳することで実現してもよいし、映像信号自体を信号処理で全面所定の色（例えば赤色）に変更することで実現してもよい。
【００６２】
Ｒ画パターン重畳部１６５は、Ｒ画像処理部１６３によって所定の映像処理が施された映像データに対して、所定のパターンを重畳するものである。Ｒ画パターン重畳部１６５は、通常時は何も処理を行わない。一方、ユーザ入力処理部１１０によって上書きモードを指定したことが検出されると、ユーザ入力処理部１１０は当該検出に応じてＲ画パターン重畳部１６５へ、Ｒ画像処理部１６３によって所定の映像処理が施された映像データに対して所定のパターンを重畳するよう指示する。Ｒ画パターン重畳部１６５は、ユーザ入力処理部１１０からの指示に基づいて、Ｒ画像処理部１６３によって所定の映像処理が施された映像データに対して所定のパターンを重畳し、出力する。
【００６３】
Ｒ画パターン重畳部１６５が実行するパターンの重畳処理としては、別途用意した文字やグラフィックスを重畳することで実現してもよいし、映像信号自体を信号処理で、Ｌ画パターン重畳部１６４で重畳する色とは異なる所定の色（例えば青色）に全面変更することで実現してもよい。
【００６４】
Ｌ画パターン重畳部１６４及びＲ画パターン重畳部１６５は、所定のパターンを重畳した映像データを表示部１７０に出力する。表示部１７０は、Ｌ画パターン重畳部１６４及びＲ画パターン重畳部１６５によって所定のパターンを重畳した映像データを表示する。これにより、映像表示装置１００のユーザは、重畳されたパターンが表示部１７０に正常に表示されているか否かで、映像データが正常か、また映像処理が正常に行われているかどうかを確認することができる。
【００６５】
以上、図４を用いて映像処理部１６０の構成について説明した。次に、本発明の一実施形態にかかる映像表示装置１００の動作について説明する。
【００６６】
［１−４．映像表示装置の動作］
図５は、本発明の一実施形態にかかる映像表示装置１００の動作を示す流れ図である。以下、図５を用いて本発明の一実施形態にかかる映像表示装置１００の動作について説明する。
【００６７】
デジタルビデオレコーダ２００から映像が映像表示装置１００に供給されると、映像表示装置１００は、映像入力部１５０で映像を入力し、映像処理部１６０に入力した映像を供給する。
【００６８】
映像処理部１６０では、まず、Ｌ／Ｒ画像抽出部１６１によって、映像入力部１５０から供給される映像が３Ｄ映像である場合に、映像入力部１５０から供給される映像から右目用映像と左目用映像とを抽出する（ステップＳ１０１）。ステップＳ１０１で、Ｌ／Ｒ画像抽出部１６１によって右目用映像と左目用映像とが抽出されると、抽出された左目用映像はＬ画像処理部１６２に、右目用映像はＲ画像処理部１６３に、それぞれ供給される。
【００６９】
続いて、映像処理部１６０では、Ｌ画像処理部１６２によって、Ｌ／Ｒ画像抽出部１６１で抽出された左目用映像に対する所定の映像処理が実行され、Ｒ画像処理部１６３によって、Ｌ／Ｒ画像抽出部１６１で抽出された右目用映像に対する所定の映像処理が実行される（ステップＳ１０２）。Ｌ画像処理部１６２及びＲ画像処理部１６３が実行する所定の映像処理としては例えば画像のスケーリング処理、高画質化処理その他の映像処理である。
【００７０】
上記ステップＳ１０２で、右目用画像及び左目用画像に対してそれぞれ所定の映像処理が実行されると、続いて映像処理部１６０では、Ｌ画パターン重畳部１６４及びＲ画パターン重畳部１６５によって、Ｌ画像処理部１６２及びＲ画像処理部１６３によって所定の映像処理が施された映像データに対して、所定のパターンが重畳される（ステップＳ１０３）。
【００７１】
上記ステップＳ１０３で、Ｌ画パターン重畳部１６４及びＲ画パターン重畳部１６５によって、映像データに対して所定のパターンが重畳されると、続いて、Ｌ画パターン重畳部１６４及びＲ画パターン重畳部１６５によって所定のパターンが重畳された映像データが表示部１７０に表示される（ステップＳ１０４）。これにより、映像表示装置１００のユーザは、重畳されたパターンが表示部１７０に正常に表示されているか否かで、映像データが正常か、また映像処理が正常に行われているかどうかを確認することができる。
【００７２】
図６は、本発明の一実施形態にかかる映像表示装置１００の、表示部１７０に表示される画面の一例を示す説明図であり、Ｌ画パターン重畳部１６４及びＲ画パターン重畳部１６５によって、映像データに対して所定のパターンを重畳するためのメニュー画面の一例を示したものである。
【００７３】
映像表示装置１００のユーザによるユーザ操作で、図６に示したような「サポートメニュー」と称する画面が表示部１７０に表示されると、映像表示装置１００のユーザは、例えばリモートコントローラ等を用いて、符号１７１で示した「テストパターン出力」を選択することができる。この符号１７１で示した「テストパターン出力」が映像表示装置１００のユーザに選択されることで、映像処理部１６０は、Ｌ画パターン重畳部１６４及びＲ画パターン重畳部１６５によって、映像データに対して所定のパターンを重畳することができる。
【００７４】
図７は、左目用映像及び右目用映像に、それぞれ所定のパターンを重畳した状態の一例を示す説明図である。図７には、Ｌ画パターン重畳部１６４によって左目用映像に「Ｌ」という文字を、Ｒ画パターン重畳部１６５によって右目用映像に「Ｒ」という文字を、それぞれ重畳した状態が図示されている。
【００７５】
正常に映像が表示部１７０に出力されている場合には、図７に示したように、表示部１７０には、Ｌ画パターン重畳部１６４によって重畳された「Ｌ」という文字と、Ｒ画パターン重畳部１６５によって重畳された「Ｒ」という文字が、いずれも表示される。
【００７６】
この状態で、映像表示装置１００のユーザがシャッタメガネ３００を着用して表示部１７０に出力されている映像を見た場合に、Ｌ画パターン重畳部１６４によって重畳された「Ｌ」という文字と、Ｒ画パターン重畳部１６５によって重畳された「Ｒ」という文字の両方をユーザが見ることが出来れば、シャッタメガネ３００は正常に動作していることになる。しかし、例えば「Ｌ」と「Ｒ」のいずれか一方しか見えていない場合には、その見えていない方のシャッタが故障していることが考えられる。
【００７７】
映像表示装置１００に問題がある場合としては、例えば、右目用映像または左目用映像のどちらかの表示部１７０への表示に問題がある場合が考えられる。図８は、左目用映像及び右目用映像に、それぞれ所定のパターンを重畳した状態の一例を示す説明図である。図８には、図７と同様に、Ｌ画パターン重畳部１６４によって左目用映像に「Ｌ」という文字を、Ｒ画パターン重畳部１６５によって右目用映像に「Ｒ」という文字を、それぞれ重畳した状態が図示されている。
【００７８】
そして、図８には、Ｒ画パターン重畳部１６５によって右目用映像に重畳した「Ｒ」という文字は表示部１７０に表示されているが、Ｌ画パターン重畳部１６４によって左目用映像に重畳された「Ｌ」という文字は表示されていない。この場合には、例えば、左目用映像の表示部１７０への表示に問題がある、または、右目用映像を用いた３Ｄ映像から２Ｄ映像への変換処理が行われている、という場合が考えられる。
【００７９】
なお、本発明においては、右目用映像及び左目用映像に重畳するパターンは文字だけに限られない。例えば所定の図形や色を右目用映像及び左目用映像に重畳してもよい。
【００８０】
図９は、左目用映像及び右目用映像に、それぞれ所定のパターンを重畳した状態の一例を示す説明図である。図９には、Ｌ画パターン重畳部１６４によって左目用映像に左半分に弧を有する半円を、Ｒ画パターン重畳部１６５によって右目用映像に右半分に弧を有する半円を、それぞれ重畳した状態が図示されている。
【００８１】
このように、映像処理部１６０が右目用映像及び左目用映像にそれぞれパターンを重畳すると、正常に表示部１７０に表示される場合には、図９に示したように真円が表示されることになる。しかし、映像表示装置１００やシャッタメガネ３００に何らかの問題がある場合には、円は真円ではなく右半分または左半分しか見ることができない。従って、本発明の一実施形態にかかる映像表示装置１００は、映像を正常に視聴できない場合に、映像表示装置１００に問題があるのか、映像表示装置１００が表示する映像を見るためのシャッタメガネ３００に問題があるのかを、映像表示装置１００のユーザに把握させることが可能になる。
【００８２】
また例えば、映像処理部１６０は、左目用映像の全体を赤色一色、右目用映像の全体を青色一色で上書きするようにしてもよい。このとき映像表示装置１００やシャッタメガネ３００が正しく３Ｄ映像の表示動作を行っていれば、表示部１７０に表示される映像を、片目を閉じて左目だけで見ると赤色一色に見え、両目で見ると画面は紫色に見えるはずである。なお、映像に視差があるわけではないので、表示部１７０に表示される映像を両目で見た場合に（シャッタメガネ３００を通して見た場合に）３Ｄ映像として見えるわけではない。
【００８３】
しかし、映像表示装置１００のユーザが、表示部１７０に表示される映像を両目で見ても赤にしか見えない場合は、右目側の映像が出力されていない可能性が高い。例えば映像表示装置１００のユーザが、３Ｄ映像の表示がうまくできないという問題を抱えていた場合、この作業を行うことで、原因が右目側の映像が出力されていないためであるということを把握することができる。
【００８４】
また、両目で見ると紫色に見え、左目で見ると赤色に、右目で見ると青色に見える正常な状態であるにも関わらず、パターンの重畳を止めて元に戻すと３Ｄ映像に見えないという場合は、入力信号に問題がある可能性が高い。例えばコンテンツの構造は３Ｄ映像だが、コンテンツに含まれる映像が視差を持たない（すなわち、全く同じものが左と右に入っている）映像である場合は、このような状態になる。あるいは機器もコンテンツにも問題はなく、ユーザの視力に問題がある場合も考えられる。
【００８５】
そして、映像表示装置１００のユーザが、表示部１７０に表示される映像を片目で見たとき紫色に見えるようであれば、右目用画像と左目用映像とが混在（クロストーク）している状態だと分かる。この場合は、例えば、シャッタメガネ３００の故障が原因の一つとして考えられる。
【００８６】
このように、３Ｄ映像に所定のパターンを重畳して表示部１７０へ出力することで、本発明の一実施形態にかかる映像表示装置１００は、映像表示装置１００に問題があるのか、映像表示装置１００が表示する映像を見るためのシャッタメガネ３００に問題があるのかを、映像表示装置１００のユーザに把握させることが可能になる。
【００８７】
次に、本発明の一実施形態にかかる映像表示装置１００の別の動作例について説明する。図１０は、本発明の一実施形態にかかる映像表示装置１００の動作を示す流れ図である。図１０に示した流れ図は、映像表示装置１００に供給される映像や、表示部１７０に表示する映像のステータスを表示部１７０へ表示する際の処理について示したものである。以下、図１０を用いて本発明の一実施形態にかかる映像表示装置１００の動作について説明する。
【００８８】
映像表示装置１００に供給される映像や、表示部１７０に表示する映像のステータスを表示部１７０へ表示するには、まず２Ｄ／３Ｄ状態管理部１４０が、映像表示装置１００に入力される映像のステータスを検出する（ステップＳ１１１）。２Ｄ／３Ｄ状態管理部１４０は、映像表示装置１００に入力される映像のステータスを、デジタルビデオレコーダ２００の２Ｄ／３Ｄ状態管理部２２０から、状態通信部２３０、１３０を通じて取得する。
【００８９】
また２Ｄ／３Ｄ状態管理部１４０は、映像処理部１６０から、表示部１７０に表示する映像のステータスを取得する（ステップＳ１１２）。
【００９０】
２Ｄ／３Ｄ状態管理部１４０は、上記ステップＳ１１１で映像表示装置１００に入力される映像のステータスを検出し、上記ステップＳ１１２で表示部１７０に表示する映像のステータスを取得すると、取得した情報をグラフィックス構成部１２０へ供給する。グラフィックス構成部１２０は、２Ｄ／３Ｄ状態管理部１４０から映像表示装置１００に入力される映像のステータスや表示部１７０に表示する映像のステータスについての情報の供給を受けると、それらの情報を用いて表示部１７０に表示する情報を生成する。表示部１７０は、グラフィックス構成部１２０が生成した情報を表示する（ステップＳ１１３）。
【００９１】
このように、映像表示装置１００に入力される映像のステータスや表示部１７０に表示する映像のステータスについての情報を２Ｄ／３Ｄ状態管理部１４０が取得し、その２Ｄ／３Ｄ状態管理部１４０が取得した情報を用いて、表示部１７０に表示する情報をグラフィックス構成部１２０が生成することで、映像表示装置１００のユーザは、映像表示装置１００に入力される映像や表示部１７０に表示する映像の状態を把握することが出来る。
【００９２】
本実施形態にかかる映像表示装置１００及びデジタルビデオレコーダ２００は、以下の４通りの機能を有する。
１．入力が２Ｄ信号で、そのまま２Ｄで出力する機能（従来の機能）（２Ｄ→２Ｄ）
２．入力が２Ｄ信号で、３Ｄ信号に変換して出力する機能（２Ｄ→３Ｄ）
３．入力が３Ｄ信号で、２Ｄ信号に変換して出力する機能（３Ｄ→２Ｄ）
４．入力が３Ｄ信号で、そのまま３Ｄで出力する機能（３Ｄ→３Ｄ）
【００９３】
映像表示装置１００及びデジタルビデオレコーダ２００で、それぞれ上記の機能を有するので、映像表示装置１００とデジタルビデオレコーダ２００を接続した状態では、組み合わせとして下記の８通りがあり得る。
Ａ．（２Ｄ→２Ｄ）→（２Ｄ→２Ｄ）
Ｂ．（２Ｄ→２Ｄ）→（２Ｄ→３Ｄ）
Ｃ．（２Ｄ→３Ｄ）→（３Ｄ→３Ｄ）
Ｄ．（２Ｄ→３Ｄ）→（３Ｄ→２Ｄ）
Ｅ．（３Ｄ→２Ｄ）→（２Ｄ→２Ｄ）
Ｆ．（３Ｄ→２Ｄ）→（２Ｄ→３Ｄ）
Ｇ．（３Ｄ→３Ｄ）→（３Ｄ→２Ｄ）
Ｈ．（３Ｄ→３Ｄ）→（３Ｄ→３Ｄ）
【００９４】
２Ｄ／３Ｄ状態管理部１４０は、上記の８通りの入出力状態を把握することができる。そして２Ｄ／３Ｄ状態管理部１４０は、上記の８通りの入出力状態の中から現在の入出力状態の情報をグラフィックス構成部１２０へ供給する。グラフィックス構成部１２０は、２Ｄ／３Ｄ状態管理部１４０から送られてきた情報を用いて表示部１７０に表示する情報を生成する。
【００９５】
そして、本実施形態にかかる映像表示装置１００は、入力と出力とが一致していない場合に、映像の状態を入出力が一致するようにデジタルビデオレコーダ２００に対して指示したり、映像処理部１６０に対して変換処理を指示したりすることができる。これは例えば、上記Ｆの状態からＨの状態へ遷移させる機能である。
【００９６】
例えば、上記のＦの状態は、デジタルビデオレコーダ２００において３Ｄ映像が一旦２Ｄ映像に変換（ダウングレード）された後に、映像表示装置１００側で２Ｄ映像を３Ｄに変換（アップグレード）しているため、情報のロスが大きい。その時、グラフィックス構成部１２０によって表示部１７０に案内メッセージを表示することができる。映像表示装置１００のユーザが映像のステータスの変更を選択すると、２Ｄ／３Ｄ状態管理部１４０は、映像の状態を上記のＦの状態からＨの状態へ遷移させることができる。
【００９７】
上記のＦの状態からＨの状態へ映像表示装置１００及びデジタルビデオレコーダ２００の設定を遷移させる手順としては、例えば以下の通りである。表示部１７０に表示された案内メッセージに対して、映像表示装置１００のユーザが映像のステータスの変更指示があったかどうかを２Ｄ／３Ｄ状態管理部１４０で判断する（ステップＳ１１４）。ユーザ入力処理部１１０は、映像表示装置１００のユーザが映像のステータスの変更を選択したことを認識することができ、２Ｄ／３Ｄ状態管理部１４０へ映像のステータスの変更指示があったことを通知する。
【００９８】
上記ステップＳ１１４での判断の結果、映像表示装置１００のユーザが映像のステータスの変更を指示すると、２Ｄ／３Ｄ状態管理部１４０は、映像表示装置１００側の設定及びデジタルビデオレコーダ２００側の設定を、それぞれ適切な状態に変更する（ステップＳ１１５）。一方、上記ステップＳ１１４での判断の結果、映像表示装置１００のユーザが映像のステータスの変更を指示しなかった場合には、そのまま処理を終了する。
【００９９】
ユーザ入力処理部１１０が、映像表示装置１００のユーザが映像のステータスの変更を選択したことを認識すると、映像表示装置１００側の２Ｄ／３Ｄ状態管理部１４０には、映像表示装置１００側の設定を、入力の３Ｄ映像をそのまま３Ｄ映像で出力する命令を、デジタルビデオレコーダ２００側の２Ｄ／３Ｄ状態管理部２２０には、状態通信部１３０、２３０を経由して、デジタルビデオレコーダ２００側の設定を入力の３Ｄ映像をそのまま３Ｄ映像で出力する命令を通知する。通知を受けた２Ｄ／３Ｄ状態管理部１４０、２２０は、それぞれ映像処理部１６０、２４０に対して、映像処理の内容を切り換える命令を通知する。
【０１００】
図１１は、本発明の一実施形態にかかる映像表示装置１００の表示部１７０に表示される画面の一例を示す説明図であり、グラフィックス構成部１２０によって表示部１７０に案内メッセージを表示するためのメニュー画面の一例を示したものである。
【０１０１】
映像表示装置１００のユーザによるユーザ操作で、図１１に示したような「サポートメニュー」と称する画面が表示部１７０に表示されると、映像表示装置１００のユーザは、例えばリモートコントローラ等を用いて、符号１７２で示した「入出力確認」を選択することができる。この符号１７２で示した「入出力確認」が映像表示装置１００のユーザに選択されることで、２Ｄ／３Ｄ状態管理部１４０は、映像表示装置１００側の設定及びデジタルビデオレコーダ２００側の設定を収集して、収集した情報をグラフィックス構成部１２０に通知する。通知を受けたグラフィックス構成部１２０は、映像表示装置１００側の設定及びデジタルビデオレコーダ２００側の設定についての情報が含まれた案内メッセージを表示部１７０に表示することができる。
【０１０２】
図１２は、本発明の一実施形態にかかる映像表示装置１００の表示部１７０に表示される画面の一例を示す説明図である。図１２には、映像表示装置１００側の設定及びデジタルビデオレコーダ２００側の設定を表示部１７０に表示した状態が示されている。このように、映像表示装置１００側の設定及びデジタルビデオレコーダ２００側の設定を表示することで、システムの状態を可視化することができる。なお、図１２に示した映像表示装置１００側の設定及びデジタルビデオレコーダ２００側の設定は、上記のＦの状態に対応するものである。
【０１０３】
図１３は、本発明の一実施形態にかかる映像表示装置１００の表示部１７０に表示される画面の一例を示す説明図である。図１３には、映像表示装置１００側の設定及びデジタルビデオレコーダ２００側の設定を表示部１７０に表示するとともに、この設定は３Ｄ映像の視聴として最適な設定ではないために、ユーザに対して最適な設定に変更するかどうかを促すメッセージを表示した状態が示されている。
【０１０４】
図１３のようなメッセージが表示部１７０に表示されている状態で、映像表示装置１００のユーザがリモートコントローラ等を操作して「ＹＥＳ」を選択すると、映像表示装置１００及びデジタルビデオレコーダ２００は、上記のＦの状態からＨの状態への移行を実行する。これにより、映像表示装置１００のユーザの一度の操作のみで、映像表示装置１００及びデジタルビデオレコーダ２００の設定を、３Ｄ映像の視聴に最適な状態へ変更することが可能になる。
【０１０５】
もちろん、上記のＦの状態からＨの状態への移行だけでなく、これ以外の組み合わせへの移行を行ってもよい。また、上述の上書き処理を組み合わせて、表示部１７０に図１２のような画面を表示しつつ、右目用の映像と左目用の映像を上書き処理し、「片目で見たとき何が見えますか？」等のメッセージを表示部１７０に表示するようにしてもよい。
【０１０６】
＜２．まとめ＞
以上説明したように本発明の一実施形態にかかる映像表示装置１００によれば、映像処理部１６０によって、右目用映像及び左目用映像に、それぞれ所定のパターンを重畳して出力することができる。映像表示装置１００のユーザは、３Ｄ映像として認識することが出来ない場合に、映像に重畳されたパターンを、直接、またはシャッタメガネを通じて確認できるかどうかによって、どの箇所に問題があるかどうかを把握することが出来る。
【０１０７】
また、本発明の一実施形態にかかる映像表示装置１００によれば、２Ｄ／３Ｄ状態管理部１４０によって映像表示装置１００側の設定及びデジタルビデオレコーダ２００側の設定を収集し、グラフィックス構成部１２０は、２Ｄ／３Ｄ状態管理部１４０が収集した内容を表示部１７０に表示することができる。これにより、機器ごとの設定状態が可視化され、例えばユーザが新たに機器を購入した場合等に、ユーザに対して機器の接続を補助することができる。また、機器間の設定を一度の操作で最適な状態に変換できるので、ユーザの負担を軽減することが可能になる。
【０１０８】
なお、上述した本発明の一実施形態にかかる映像表示装置１００の動作は、ハードウェアによって行われるようにしてもよく、ソフトウェアによって行われるようにしてもよい。上述した本発明の一実施形態にかかる映像表示装置１００の動作をソフトウェアによって実行する場合には、映像表示装置１００の内部にコンピュータプログラムが記録された媒体を備え、当該媒体からＣＰＵその他の制御装置が、そのコンピュータプログラムを読み出して順次実行することによって上述した動作が行われるようにしてもよい。
【０１０９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１０】
例えば、上記実施形態では、映像表示装置１００はデジタルビデオレコーダ２００から映像の供給を受ける形態について説明したが、本発明はかかる例に限定されない。例えば、映像表示装置１００が放送局等から放送される映像を直接受信する場合であっても、上記のような映像処理部１６０によるパターンの重畳処理を同様に適用可能である。
【０１１１】
また例えば、上記実施形態では、映像表示装置１００が表示する画像をユーザがシャッタメガネ３００を通して見ることで、ユーザが三次元画像として認識することができる映像表示装置１００を例に挙げて説明したが、本発明はかかる例に限定されない。映像表示装置１００が表示する画像をユーザが直接見ることで、ユーザが三次元画像として認識することができる映像表示装置であっても、同様に本発明を適用可能であることは言うまでもない。
【符号の説明】
【０１１２】
１００    映像表示装置
１１０    ユーザ入力処理部
１２０    グラフィックス構成部
１３０    状態通信部
１４０    ２Ｄ／３Ｄ状態管理部
１５０    映像入力部
１６０    映像処理部
１６１    Ｌ／Ｒ画像抽出部
１６２    Ｌ画像処理部
１６３    Ｒ画像処理部
１６４    Ｌ画パターン重畳部
１６５    Ｒ画パターン重畳部
１７０    表示部
２００    デジタルビデオレコーダ
２１０    映像入力部
２２０    ２Ｄ／３Ｄ状態管理部
２３０    状態通信部
２４０    映像処理部
２５０    映像出力部
３００    シャッタメガネ
【図１】
2012070163.tif 000003
【図２】
2012070163.tif 000004
【図３】
2012070163.tif 000005
【図４】
2012070163.tif 000006
【図５】
2012070163.tif 000007
【図６】
2012070163.tif 000008
【図７】
2012070163.tif 000009
【図８】
2012070163.tif 000010
【図９】
2012070163.tif 000011
【図１０】
2012070163.tif 000012
【図１１】
2012070163.tif 000013
【図１２】
2012070163.tif 000014
【図１３】
2012070163.tif 000015